(57)【特許請求の範囲】
【請求項１】
設置壁面に取付けられる硬質材料製の骨格部材に対して軟質材料製の被覆部材が被覆される壁面設置用ガードレールにおいて、該骨格部材は、縦方向に偏平形状をなす側壁部と、該側壁部上端に形成される上向突縁と、該側壁部の中間位置に後側に向けて形成されると共にその底板部が該設置壁面への取付部となる複数列のコ字状断面屈曲条と、該側壁部の下端位置に該側壁部前側に開いて形成される拡底溝条とを有し、該被覆部材は、該骨格部材の該上向突縁から該拡底溝条を越えて縦方向に該側壁部前側を被覆する被覆主体部と、該被覆主体部の上端後側に形成されると共に該骨格部材の該上向突縁に係止される鉤状縁と、該被覆主体部の下方後側に突設されると共に該骨格部材の該拡底溝条に嵌合係止される矢印断面突条と、該被覆部材の後側に突設されると共に該被覆部材が該骨格部材に被覆された状態で該骨格部材の最上列の該コ字状断面屈曲条が画成する凹溝条内に介在される脱落防止用突条とを有し、該被覆部材の該骨格部材への嵌着作業時に既嵌着箇所に連続する未嵌着箇所における該被覆部材の該脱落防止用突条上面が該骨格部材の該凹溝条の上側の縁に当接した状態で、該骨格部材における該上向突縁に対する該被覆部材における該鉤状縁の係合状態が維持されていることを特徴とする壁面設置用ガードレール。
【請求項２】
前記骨格部材を被覆した前記被覆部材の端部外面を被覆する端部外面殻の末端が端部殻で塞がれた硬質材料製の端部キャップの該端部殻には、該骨格部材の複数の前記コ字状断面屈曲条間に画成される挿入間隙内に小口から挿入される端部保持突起が突設されており、該外面殻と該端部保持突起とによって該被覆部材が挟着されることを特徴とする請求項１記載の壁面設置用ガードレール。
【請求項３】
一対の前記骨格部材を被覆した前記被覆部材の近接する両端部外面を被覆する隅部外面殻を有する硬質材料製の隅部キャップには、少なくとも一方の該骨格部材の複数の前記コ字状断面屈曲条間に画成される挿入間隙内に小口から挿入される隅部保持突起が該隅部外面殻の交差部から突設されており、該連結部外殻と該隅部保持突起とによって該被覆部材が挟持されることを特徴とする請求項１記載の壁面設置用ガードレール。
【発明の詳細な説明】
【０００１】
【発明の属する技術分野】
本発明は、特に病院、養護施設等の建物通路壁面やエレベータ等の壁面に設置され、ストレッチャ等の屋内車輌の衝突に対して壁面を保護する壁面設置用ガードレールに関する。
【０００２】
【従来の技術】
本発明は、本発明者が先に発明した特願平８−３１６９２５号の壁面設置用ガードレールの改良発明である。先の発明によるガードレールは図６に示す横断面を有する。このガードレールの壁面への設置は、設置壁面Ａに固着した骨格部材１の上向突縁に被覆部材１１の上側鉤状縁２４を係止し、次いで骨格部材の下向突縁に被覆部材の下側鉤状縁２５を係止し、被覆部材１１を骨格部材１に嵌着させることによって完成される。しかしながら被覆部材１１は長尺物であるために、単独の施工者が設置を行う場合には、壁面に取付けた骨格部材１の一方端から順次被覆部材を嵌着させなければならず、図７に示されるように、未嵌着の被覆部材１１が床面に向けて下がっていることから、一度骨格部材１の上向突縁に嵌合した被覆部材の上縁が破線で示すように持上がる傾向があり被覆部材１１の下向鉤上縁２４が骨格部材の上向突縁から脱落する虞が生ずるので、嵌合作業は当該個所を絶えず上方から押えつけながら続行しなければならず、かなりの疲労を伴う技能を必要とすると共にその作業性も良好とは云えない状況を生じている。
【０００３】
また骨格部材の下向突縁に被覆部材の下側鉤状縁２５を係止する作業は、係止個所が被覆部材１１によって外方から見えにくい個所で行われると共に、薄い下側鉤状縁２５の先端を壁面と下向き突縁が形成する隙間に挿入するデリケートな操作を必要とすることから、例えば図８に示されるような係止状態の未完成個所が生じる傾向を有すると共に（破線位置が正規の係止位置）、かかる未完成個所が生じても見過されてしまう虞を生じている。
【０００４】
【発明が解決しようとする課題】
本発明が解決しようとする課題は、前記した壁面用ガードレールの欠点を解消するもので、設置作業時の骨格部材に対する被覆部材の脱落を防止することによって設置作業を容易且つ能率的に遂行することができると共に、デリケートな設置作業を必要としないで設置作業終了後の被覆部材の確実な係止状態を確保することができる壁面用ガードレールを提供することにある。
【０００５】
【課題を解決するための手段】
前記課題を解決するために、本発明に係る壁面用ガードレールは、設置壁面に取付けられる硬質材料製の骨格部材に対して軟質材料製の被覆部材が被覆される形式の壁面設置用ガードレールにおいて、該骨格部材は、縦方向に偏平形状をなす側壁部と、該側壁部上端に形成される上向突縁と、該側壁部の中間位置に後側に向けて形成されると共にその底板部が該設置壁面への取付部となる複数列のコ字状断面屈曲条と、該側壁部の下端位置に該側壁部前側に開いて形成される拡底溝条とを有し、該被覆部材は、該骨格部材の該上向突縁から該拡底溝条を越えて縦方向に該側壁部前側を被覆する被覆主体部と、該被覆主体部の上端後側に形成されると共に該骨格部材の該上向突縁に係止される鉤状縁と、該被覆主体部の下方後側に突設されると共に該骨格部材の該拡底溝条に嵌合係止される矢印断面突条と、該被覆部材の後側に突設されると共に該被覆部材が該骨格部材に被覆された状態で該骨格部材の最上列の該コ字状断面屈曲条が画成する凹溝条内に介在される脱落防止用突条とを有し、該被覆部材の該骨格部材への嵌着作業時に既嵌着箇所に連続する未嵌着箇所における該被覆部材の該脱落防止用突条上面が該骨格部材の該凹溝条の上側の縁に当接した状態で、該骨格部材における該上向突縁に対する該被覆部材における該鉤状縁の係合状態が維持されていることを主な特徴とする。
【０００６】
また、前記骨格部材を被覆した前記被覆部材の端部外面を被覆する端部外面殻の末端が端部殻で塞がれた硬質材料製の端部キャップの該端部殻には、該骨格部材の複数の前記コ字状断面屈曲条間に画成される挿入間隙内に小口から挿入される端部保持突起が突設されており、該外面殻と該端部保持突起とによって該被覆部材が挟着されることを特徴とする。
【０００７】
さらに、一対の前記骨格部材を被覆した前記被覆部材の近接する両端部外面を被覆する隅部外面殻を有する硬質材料製の隅部キャップには、少なくとも一方の該骨格部材の複数の前記コ字状断面屈曲条間に画成される挿入間隙内に小口から挿入される隅部保持突起が該隅部外面殻の交差部から突設されており、該連結部外殻と該隅部保持突起とによって該被覆部材が挟持されることを特徴とする。
【０００８】
【発明の実施の形態】
本発明の実施の形態について添付図面を参照して説明する。
図１および図２において、符号Ａは、本発明に係るガードレールが設置される建物の設置壁面を示す。本発明に係るガードレールは、特に病院や養護施設等の建物通路壁面やエレベータの壁面のように、ストレッチャ等の屋内車輌が衝突をする虞のある壁面に設置して当該壁面を保護するものである。また符号１は設置壁面Ａに固着されるべき硬質合成樹脂或は金属等の硬質材料で製造される長尺の骨格部材であって、骨格部材１には、その縦方向に偏平形状をなす側壁部２の上端に上向突縁３が形成されると共に、側壁部２の中間位置には後側にその底板部５が設置壁面Ａへの取付部となる３列のコ字状断面屈曲条４，４，４が形成されており、これらのコ字状断面屈曲条４により凹溝条６が画成されている。そして側壁部２の下端位置には側壁部２の前側に開いた拡底溝条７が形成されている。図中符号８は側壁部２の上部後側に突設した補強突縁である。骨格部材１は、固定用ボルト９をコ字状断面屈曲条４における底板部５の透孔を挿通して設置壁面Ａに埋設されたアンカースクリュー１０に対して締付けることにより、設置壁面Ａに固着される。
【０００９】
骨格部材１に対して、軟質合成樹脂等の軟質材料製で長尺の被覆部材１１が被覆される。被覆部材１１には、骨格部材１の上向突縁３から拡底溝条７を越えて縦方向に側壁部２の前側を被覆する被覆主体部１２の上端に骨格部材１の上向突縁３に係止される鉤状縁１３が形成され、また被覆主体部１２の下方後側には、骨格部材１の拡底溝条７に嵌合係止される矢印断面突条１４が形成されている。さらに被覆部材１１の後側には、被覆部材１１が骨格部材１に被覆された状態で、最上列のコ字状断面屈曲条４が画成する凹溝条６内に介在される脱落防止用突条１５が突設されている。脱落防止用突条１５の被覆主体部１２における縦方向位置は、図３に示されるように、骨格部材１に被覆部材１１を被覆する過程において、脱落防止用突条１５の上面が骨格部材１の凹溝条６の上側の縁に当接したときに、被覆部材１１における鉤状縁１３が骨格部材１の上向突縁３に対して係合状態が維持される位置であって、この状態で、被覆部材１１は骨格部材１から容易に脱落することがない。なお被覆部材１１の外面には、木目模様等を表示した稍硬質のスキン層を形成することができる。
【００１０】
設置壁面Ａに固着された骨格部材１に被覆部材１１を被覆する嵌着作業は、骨格部材１の上向突縁３に被覆部材１１の鉤状縁１３を係止することから開始される。嵌着作業は必要に応じて被覆部材１１を加熱して行われる。被覆部材１１の鉤状縁１３を上方から骨格部材１の上向突縁３と設置壁面Ａとの間に差込んで被覆部材１１を下方に移動させれば、脱落防止突条１５が骨格部材１の側壁部２面を下方に摺動して、やがて図３に示すような脱落防止用突条１５が凹溝条６に侵入した状態を経て、図１および図２に示すような位置で被覆主体部１２の下方を設置壁面Ａに対して押圧すると、骨格部材１の拡底溝条７に被覆部材１１の矢印断面突条１４が嵌合係止されてその位置の嵌着作業が終了する。嵌着作業は、設置壁面Ａに固着された長尺の骨格部材１に対して、長尺の被覆部材１１を一方端から順次進行させる。
【００１１】
一般的に装着前の被覆部材１１は床面に置かれているので、未嵌着の被覆部材１１が既嵌着個所から床面にむけて下がった状態とされ、未嵌着個所と連続する既嵌着個所の被覆部材１１は、上方向に持上げる応力が作用し、従来例であれば図７に破線で示されるように、持上げ応力によって嵌着を解除してしまうような挙動を生ずる。この様な応力が作用して既嵌着個所の被覆部材１１が持上げられても、本発明では、図３に示されるように、脱落防止用突条１５の上面が骨格部材１の凹溝条６の上側の縁に当接して持上がり変位を停止し、さらにその位置で被覆部材１１における鉤状縁１３が骨格部材１の上向突縁３に対して係合状態を保持しているので、持上がり変位の停止状態は維持され、被覆部材１１が脱落するような虞がない。したがって単独の作業者でも、既嵌着部分を骨格部材に押付けて脱落を防止しながら嵌着作業を進めるという厄介で過大な労力を必要とする作業から開放され、容易に且つ迅速に作業を進めることができる。
【００１２】
被覆部材１１後面に形成された矢印断面突条１４は、鉤状縁１３が上向突縁３に所定の嵌合状態に達したときに骨格部材１の拡底溝条７と対面する位置に設けられているから、そのまま被覆主体部１２の下方を設置壁面Ａに対して押圧すれば、骨格部材１の拡底溝条７に確実に嵌合される。嵌合時に矢印断面突条１４は作業者側から見えにくいが、矢印断面突条１４は先端が尖っているから、多少の位置の誤差があっても押圧することのみで確実に嵌合が行われ、嵌合の手応えが作業者に充分に伝達されるから、デリケートな嵌着作業を必要としない。そして上記のように骨格部材１に対する被覆部材１１の嵌着作業を通じて、作業者は設置壁面Ａに手を触れる必要性がないから、設置壁面Ａを汚さずに嵌着作業を進めることができる。
【００１３】
図４にはガードレールの末端部に装着される端部キャップ１６が示される。端部キャップ１６は、被覆部材１１の端部外面を被覆する端部外面殻１７の末端を端部殻１８で塞ぐように成形された硬質合成樹脂等の硬質材料で製造される。また端部キャップ１６の端部殻１８には、骨格部材１の複数のコ字状断面屈曲条４，４，４間に形成される挿入間隙１９内に小口から挿入される端部保持突起２０が突設されており、端部キャップ１６を装着した場合に、端部外面殻１７と端部保持突起２０とによって被覆部材１１の端部は挟着され、被覆部材１１は骨格部材１に対して密着される。端部キャップ１６の装着は、端部外面殻１７の裏面と被覆部材１１との間に接着剤を施して行われるが、この様な密着によって、被覆部材１１の端部断面形状が変形しているような場合でも、断面形状が矯正されて、接着面間の隙間が確実に取除かれるばかりでなく、圧着された状態で接着反応が進行するので、接着剤を効果的に生かすことができる。
【００１４】
同様に図５には、出隅部において壁面用ガードレールに装着された隅部キャップ２１が示される。隅部キャップ２１は、出隅部における一対の骨格部材１を被覆した被覆部材１１の近接する両端部外面を被覆する隅部外面殻２２を有するもので硬質合成樹脂等の硬質材料で製造される。隅部キャップ２１は端部キャップ１６と同様に、少なくとも一方の骨格部材１の複数のコ字状断面屈曲条４，４，４間に形成される挿入間隙１９（図４参照）内に小口から挿入される隅部保持突起２３が突設されており、隅部キャップ２１を装着した場合に、隅部外面殻２２と隅部保持突起２３とによって被覆部材１１の端部は挟着され、被覆部材１１は骨格部材１に対して密着される。隅部キャップ２１の装着は、隅部外面殻２２の裏面と被覆部材１１との間に接着剤を施して行われるが、この様な密着によって、被覆部材１１の端部断面形状が変形しているような場合でも、断面形状が矯正されて、接着面間の隙間が確実に取除かれるばかりでなく、圧着された状態で接着反応が進行するので、接着剤を効果的に生かすことができる。
【００１５】
【発明の効果】
本発明は次のような効果を奏する。
Ａ．設置壁面に固着された長尺の骨格部材に対して、長尺の被覆部材を一方端から順次被覆させる嵌着作業を行う場合に、装着前の被覆部材は床面に置かれているので、未嵌着の被覆部材が既嵌着個所から床面にむけて下がった状態とされ、未嵌着個所と連続する既嵌着個所の被覆部材の嵌着を解除してしまうような上方向に持上げる応力が作用するが、この様な応力が作用して既嵌着個所の被覆部材が持上げられても、脱落防止用突条の上面が骨格部材の凹溝条の上側縁に当接して持上がり変位を停止し、さらにその位置で被覆部材における鉤状縁が骨格部材の上向突縁に対して係合状態を保持するので、持上がり変位の停止状態は維持され、被覆部材が脱落するような虞がない。したがって単独の作業者でも、既嵌着部分を骨格部材に押付けて脱落を防止しながら嵌着作業を進めるという厄介で過大な労力を必要とする作業から開放され、容易に且つ迅速に作業を進めることができる。
【００１６】
Ｂ．被覆部材後面に形成された矢印断面突条は、被覆部材の鉤状縁が上向突縁に所定の嵌合状態に到達したときに骨格部材の拡底溝条と対面する位置に設けられているから、そのまま被覆主体部の下方を設置壁面に対して押圧すれば、骨格部材の拡底溝条に確実に嵌合される。嵌合時に矢印断面突条は作業者側から見えにくいが、矢印断面突条は先端が尖っているから、多少の位置の誤差があっても押圧することのみで確実に嵌合が行われ、嵌合の手応えが作業者に充分に伝達されるから、デリケートな設置作業を必要としない。そして骨格部材に対する被覆部材の嵌着作業を通じて、作業者は設置壁面に手を触れる必要性がないから、設置壁面を汚さずに嵌着作業を進めることができる。
Ｃ．端部キャップの装着は、端部外面殻の裏面と被覆部材との間に接着剤を施して行われるが、硬質材料製の端部キャップを装着した場合に、端部キャップの端部外面殻と端部保持突起によって被覆部材の端部は挟着されることにより被覆部材は骨格部材に対して密着され、この密着によって、被覆部材の端部断面形状が変形しているような場合でも、断面形状が矯正されて、接着面間の隙間が確実に取除かれるばかりでなく、圧着された状態で接着反応が進行するので、接着剤を効果的に生かすことができる。
Ｄ．隅部キャップの装着は、隅部外面殻の裏面と被覆部材との間に接着剤を施して行われるが、硬質材料製の隅部キャップを装着した場合に、隅部キャップの隅部外面殻と隅部保持突起とによって被覆部材の端部は挟着されることにより被覆部材は骨格部材に対して密着され、この密着によって、被覆部材の端部断面形状が変形しているような場合でも、断面形状が矯正されて、接着面間の隙間が確実に取除かれるばかりでなく、圧着された状態で接着反応が進行するので、接着剤を効果的に生かすことができる。
【図面の簡単な説明】
【図１】  壁面設置用ガードレールの断面図である。
【図２】  図１における要部の拡大断面図である。
【図３】  脱落防止用突条の上面が凹溝条の上側縁に当接した状態の断面図である。
【図４】  端部キャップの取付を示す斜視図である。
【図５】  隅部キャップの取付を示す斜視図である。
【図６】  従来の壁面設置用ガードレールの断面図である。
【図７】  被覆部材嵌着作業時の被覆部材の挙動を示す側面図である。
【図８】  従来品による下方嵌合の不具合を示す断面図である。
【符号の説明】
１  骨格部材
２  側壁部
３  上向突縁
４  コ字状断面屈曲条
５  底板部
６  凹溝条
７  拡底溝条
１１  被覆部材
１２  被覆主体部
１３  鉤状縁
１４  矢印断面突条
１５  脱落防止用突条
１６  端部キャップ
１７  端部外面殻
１８  端部殻
１９  挿入間隙
２０  端部保持突起
２１  隅部キャップ
２２  隅部外面殻
２３  隅部保持突起
【図１】
0003834146.tif 000002
【図２】
0003834146.tif 000003
【図３】
0003834146.tif 000004
【図４】
0003834146.tif 000005
【図５】
0003834146.tif 000006
【図６】
0003834146.tif 000007
【図７】
0003834146.tif 000008
【図８】
0003834146.tif 000009